(57)【要約】【課題】配送データ管理用の各種情報をより多く保持し、配送完了時ないし完了後に情報の漏洩を回避可能とし、伝票に保持した各種情報をその後の管理に利用可能としたＲＦＩＤ伝票、これを用いた配送システムおよび配送方法を提供する。【解決手段】配送物の管理情報を取り扱うにあたって、互いに電磁結合可能なループアンテナ部１７およびブースターアンテナ部１９の組み合わせを近接配置および分離可能とすることに着目し、配送業者伝票３にＩＣチップ１６付きのループアンテナ部１７を取り付け、届け先伝票４にループアンテナ部１７に電磁結合可能なブースターアンテナ部１９を取り付け、ブースターアンテナ部１９とループアンテナ部１７とが互いに近接するように届け先伝票４および配送業者伝票３を配置しているとともに、届け先において配送業者伝票３を届け先伝票４から分離可能としている。【選択図】図１
2014223756.tif 000002
【特許請求の範囲】
【請求項１】
配送物の送り主用の送り主伝票と、この配送物の届け先用の届け先伝票と、この配送物を配送する配送業者用の配送業者伝票と、を有するＲＦＩＤ伝票であって、
前記配送業者伝票にループアンテナ部を取り付けるとともに、このループアンテナ部にＩＣチップを接続し、
前記届け先伝票に前記ループアンテナ部に電磁結合可能なブースターアンテナ部を取り付け、
このブースターアンテナ部と前記ループアンテナ部とが互いに近接するように前記届け先伝票および前記配送業者伝票を配置しているとともに、
前記届け先において前記配送業者伝票を前記届け先伝票から分離可能としていることを特徴とするＲＦＩＤ伝票。
【請求項２】
前記ブースターアンテナ部および前記ループアンテナ部を介して、第１のリーダーライターにより前記ＩＣチップにデータを書き込み可能、および前記ＩＣチップからのデータを読み取り可能としていることを特徴とする請求項１記載のＲＦＩＤ伝票。
【請求項３】
前記配送業者伝票を前記届け先伝票から分離した状態では、前記第１のリーダーライターによる前記ＩＣチップとの間の前記データの書込みおよび読込みを不可能としていることを特徴とする請求項２記載のＲＦＩＤ伝票。
【請求項４】
前記ループアンテナ部を介して、第２のリーダーライターにより前記ＩＣチップにデータを書き込み可能、および前記ＩＣチップからのデータを読み取り可能としていることを特徴とする請求項１ないし３のいずれかに記載のＲＦＩＤ伝票。
【請求項５】
前記届け先伝票および前記配送業者伝票は、前記ブースターアンテナ部と前記ループアンテナ部とが互いに近接するように、これを積層していることを特徴とする請求項１ないし４のいずれかに記載のＲＦＩＤ伝票。
【請求項６】
前記届け先伝票および前記配送業者伝票は、前記ブースターアンテナ部と前記ループアンテナ部とが互いに近接するように、同一平面内にこれを配置していることを特徴とする請求項１ないし４のいずれかに記載のＲＦＩＤ伝票。
【請求項７】
配送物の送り主用の送り主伝票と、この配送物の届け先用の届け先伝票と、この配送物を配送する配送業者用の配送業者伝票と、を有するＲＦＩＤ伝票を用いた配送システムであって、
前記配送業者伝票にループアンテナ部を取り付けるとともに、このループアンテナ部にＩＣチップを接続し、
前記届け先伝票に前記ループアンテナ部に電磁結合可能なブースターアンテナ部を取り付け、
このブースターアンテナ部と前記ループアンテナ部とが互いに近接するように前記届け先伝票および前記配送業者伝票を配置しているとともに、
前記ブースターアンテナ部および前記ループアンテナ部を介して、前記ＩＣチップにデータを書き込み可能、および前記ＩＣチップからのデータを読み取り可能とした第１のリーダーライターを設け、
前記届け先において前記配送業者伝票を前記届け先伝票から分離可能とし、
前記ループアンテナ部を介して、前記ＩＣチップにデータを書き込み可能、および前記ＩＣチップからのデータを読み取り可能とした第２のリーダーライターを設けていることを特徴とするＲＦＩＤ伝票を用いた配送システム。
【請求項８】
前記第１のリーダーライターは、携帯式リーダーライターであるとともに、
前記第２のリーダーライターは、近接式リーダーライターであることを特徴とする請求項７記載のＲＦＩＤ伝票を用いた配送システム。
【請求項９】
配送物の送り主用の送り主伝票と、この配送物の届け先用の届け先伝票と、この配送物を配送する配送業者用の配送業者伝票と、を有するＲＦＩＤ伝票を用いた配送方法であって、
前記配送業者伝票にループアンテナ部を取り付けるとともに、このループアンテナ部にＩＣチップを接続しておき、
前記届け先伝票に前記ループアンテナ部に電磁結合可能なブースターアンテナ部を取り付けておき、
このブースターアンテナ部と前記ループアンテナ部とが互いに近接するように前記届け先伝票および前記配送業者伝票を配置し、
前記ブースターアンテナ部および前記ループアンテナ部を介して、第１のリーダーライターにより前記ＩＣチップにデータを書き込み、あるいは前記ＩＣチップからのデータを読み取るとともに、
前記届け先において前記配送業者伝票を前記届け先伝票から分離し、
前記配送業者伝票の前記ループアンテナ部を介して、第２のリーダーライターにより前記ＩＣチップにデータを書き込み、あるいは前記ＩＣチップからのデータを読み取ることを特徴とするＲＦＩＤ伝票を用いた配送方法。
【発明の詳細な説明】
【技術分野】
【０００１】
本発明はＲＦＩＤ伝票、これを用いた配送システムおよび配送方法にかかるもので、とくに配送物などの管理に、ＲＦＩＤ（Ｒａｄｉｏ  Ｆｒｅｑｕｅｎｃｙ  Ｉｄｅｎｔｉｆｉｃａｔｉｏｎ；無線自動認識）技術を応用したＲＦＩＤ伝票、これを用いた配送システムおよび配送方法に関するものである。
【背景技術】
【０００２】
従来から、宅配便その他の物品配送システムにおいて使用される伝票は、配送物の送り主用の送り主伝票と、この配送物の届け先用の届け先伝票と、この配送物を配送する配送業者用の配送業者伝票と、を積層してあるとともに、手書きあるいはドットプリンターなどによる複写式印字を行うことが一般的である。また、上記各種伝票を同一平面内に（横方向に）配置してあるタイプの伝票も利用されている。
【０００３】
また、配送データ管理のためにバーコードを伝票に表示している場合があるが、配送データ管理の電子情報担持用としてバーコードでは十分ではない場合があるという問題がある。
具体的には、記憶することができるデータ量が不足する場合があるという問題、また、バーコードを付した伝票について一枚ずつバーコード読取り操作が必要であるため、複数枚の伝票ないし配送物について一括読み取りを行うことができず、作業性に劣るという問題、さらには、バーコード自体にはデータを後から書き込むことができないため、配送管理中に新たにデータが発生するような配送システムの場合には、別のラベルなどを発行してデータ表示する必要があるという問題、等々である。
【０００４】
なお、十分な電子情報を伝票に記憶させておくためには、配送用伝票にＲＦＩＤ技術を活用することも考えられるが、何らかの対策を講じておかないと、配達完了時ないし完了後にこれらの情報が漏洩する可能性があるという問題がある。
【先行技術文献】
【特許文献】
【０００５】
【特許文献１】特開２００２−１２８２４０号公報
【発明の概要】
【発明が解決しようとする課題】
【０００６】
本発明は以上のような諸問題にかんがみなされたもので、配送データ管理のための各種情報をより多く保持可能なＲＦＩＤ伝票、これを用いた配送システムおよび配送方法を提供することを課題とする。
【０００７】
また本発明は、従来から使用されているバーコードによる配送管理の不十分さを解消可能なＲＦＩＤ伝票、これを用いた配送システムおよび配送方法を提供することを課題とする。
【０００８】
また本発明は、配送完了時ないし完了後に情報が漏洩することを回避可能としたＲＦＩＤ伝票、これを用いた配送システムおよび配送方法を提供することを課題とする。
【０００９】
また本発明は、伝票に保持した各種情報をその後の管理に利用可能としたＲＦＩＤ伝票、これを用いた配送システムおよび配送方法を提供することを課題とする。
【課題を解決するための手段】
【００１０】
すなわち本発明は、配送物の管理情報を取り扱うにあたって、互いに電磁結合可能なループアンテナ部およびブースターアンテナ部の組み合わせを近接配置および分離可能とすることに着目したもので、第一の発明は、配送物の送り主用の送り主伝票と、この配送物の届け先用の届け先伝票と、この配送物を配送する配送業者用の配送業者伝票と、を有するＲＦＩＤ伝票であって、上記配送業者伝票にループアンテナ部を取り付けるとともに、このループアンテナ部にＩＣチップを接続し、上記届け先伝票に上記ループアンテナ部に電磁結合可能なブースターアンテナ部を取り付け、このブースターアンテナ部と上記ループアンテナ部とが互いに近接するように上記届け先伝票および上記配送業者伝票を配置しているとともに、上記届け先において上記配送業者伝票を上記届け先伝票から分離可能としていることを特徴とするＲＦＩＤ伝票である。
【００１１】
上記ブースターアンテナ部および上記ループアンテナ部を介して、第１のリーダーライターにより上記ＩＣチップにデータを書き込み可能、および上記ＩＣチップからのデータを読み取り可能としていることができる。
【００１２】
上記ループアンテナ部を介して、第２のリーダーライターにより上記ＩＣチップにデータを書き込み可能、および上記ＩＣチップからのデータを読み取り可能としていることができる。
【００１３】
上記届け先伝票および上記配送業者伝票は、上記ブースターアンテナ部と上記ループアンテナ部とが互いに近接するように、これを積層していることができる。
【００１４】
上記届け先伝票および上記配送業者伝票は、上記ブースターアンテナ部と上記ループアンテナ部とが互いに近接するように、同一平面内にこれを配置していることができる。
【００１５】
第二の発明は、配送物の送り主用の送り主伝票と、この配送物の届け先用の届け先伝票と、この配送物を配送する配送業者用の配送業者伝票と、を有するＲＦＩＤ伝票を用いた配送システムであって、上記配送業者伝票にループアンテナ部を取り付けるとともに、このループアンテナ部にＩＣチップを接続し、上記届け先伝票に上記ループアンテナ部に電磁結合可能なブースターアンテナ部を取り付け、このブースターアンテナ部と上記ループアンテナ部とが互いに近接するように上記届け先伝票および上記配送業者伝票を配置しているとともに、上記ブースターアンテナ部および上記ループアンテナ部を介して、上記ＩＣチップにデータを書き込み可能、および上記ＩＣチップからのデータを読み取り可能とした第１のリーダーライターを設け、上記届け先において上記配送業者伝票を上記届け先伝票から分離可能とし、上記ループアンテナ部を介して、上記ＩＣチップにデータを書き込み可能、および上記ＩＣチップからのデータを読み取り可能とした第２のリーダーライターを設けていることを特徴とするＲＦＩＤ伝票を用いた配送システムである。
【００１６】
第三の発明は、配送物の送り主用の送り主伝票と、この配送物の届け先用の届け先伝票と、この配送物を配送する配送業者用の配送業者伝票と、を有するＲＦＩＤ伝票を用いた配送方法であって、上記配送業者伝票にループアンテナ部を取り付けるとともに、このループアンテナ部にＩＣチップを接続しておき、上記届け先伝票に上記ループアンテナ部に電磁結合可能なブースターアンテナ部を取り付けておき、このブースターアンテナ部と上記ループアンテナ部とが互いに近接するように上記届け先伝票および上記配送業者伝票を配置し、上記ブースターアンテナ部および上記ループアンテナ部を介して、第１のリーダーライターにより上記ＩＣチップにデータを書き込み、あるいは上記ＩＣチップからのデータを読み取るとともに、上記届け先において上記配送業者伝票を上記届け先伝票から分離し、上記配送業者伝票の上記ループアンテナ部を介して、第２のリーダーライターにより上記ＩＣチップにデータを書き込み、あるいは上記ＩＣチップからのデータを読み取ることを特徴とするＲＦＩＤ伝票を用いた配送方法である。
【００１７】
上記配送業者伝票を上記届け先伝票から分離した状態では、上記第１のリーダーライターによる上記ＩＣチップとの間の上記データの書込みおよび読込みを不可能としていることができる。
【００１８】
上記第１のリーダーライターは、携帯式リーダーライターであるとともに、上記第２のリーダーライターは、近接式リーダーライターであることができる。
【発明の効果】
【００１９】
本発明によるＲＦＩＤ伝票、これを用いた配送システムおよび配送方法においては、配送業者伝票にＩＣチップ付きのループアンテナ部を取り付けるとともに、届け先伝票にブースターアンテナ部を取り付け、このブースターアンテナ部とループアンテナ部とが互いに近接するように届け先伝票および配送業者伝票を配置しているとともに、届け先において配送業者伝票を届け先伝票から分離可能としているので、配送業者が送り主から配送物を受け取ってから、届け先にこれを配送するまでは、ループアンテナ部とブースターアンテナ部との組み合わせによる所定間隔をおいた無線通信（中・長距離通信）が可能であり、届け先において配送業者伝票を回収してからは、ループアンテナ部のみによる近接的な無線通信を行うことになって、ＲＦＩＤ伝票としてデータを増加した状態で、一括読取りを可能とした配送管理を行うことができるとともに、届け先に配送物を届けてからは情報漏洩を回避可能である。
【００２０】
とくに第一の発明のＲＦＩＤ伝票によれば、ＩＣチップ付きのループアンテナ部を取り付けた配送業者伝票と、ループアンテナ部に電磁結合可能なブースターアンテナ部を取り付けた届け先伝票と、を配置してあるとともに、届け先において配送業者伝票を届け先伝票から分離可能としているので、情報漏洩を防止しつつ、所定量のデータ量を活用可能である。
【００２１】
とくに第二の発明のＲＦＩＤ伝票を用いた配送システムによれば、近接配置状態にある配送業者伝票および届け先伝票に対して第１のリーダーライターによる所定間隔をおいた無線通信が可能であり、届け先伝票から分離した配送業者伝票に対しては、第２のリーダーライターによる近接的な無線通信が可能であり、ＲＦＩＤ伝票およびその配送物の配送位置に応じた無線通信を使い分けることができる。
【００２２】
とくに第三の発明のＲＦＩＤ伝票を用いた配送方法によれば、配送業者伝票にＩＣチップ付きのループアンテナ部を取り付けておくとともに、届け先伝票にブースターアンテナ部を取り付けておき、このブースターアンテナ部とループアンテナ部とが互いに近接するように届け先伝票および配送業者伝票を配置しておき、届け先において配送業者伝票を届け先伝票から分離するので、配送業者が送り主から配送物を受け取ってから、届け先までこれを配送するまでは、ループアンテナ部とブースターアンテナ部との組み合わせとの間で第１のリーダーライターによる所定間隔をおいた無線通信が可能であり、届け先において配送業者伝票を回収してからは、ループアンテナ部との間のみで第２のリーダーライターによる近接的な無線通信を行うことになって、ＲＦＩＤ伝票としてデータを増加した状態で配送管理を行うことができるとともに、届け先に配送物を届けてからは情報漏洩を回避可能である。
【図面の簡単な説明】
【００２３】
【図１】本発明の第１の実施例によるＲＦＩＤ伝票１の説明図で、図１（１）は、ＲＦＩＤ伝票１の平面図、図１（２）は、ＲＦＩＤ伝票１の最上層部に位置する送り主伝票２の平面図、図１（３）は、ＲＦＩＤ伝票１の第２層に位置する配送業者伝票３の平面図、図１（４）は、ＲＦＩＤ伝票１の第３層に位置する届け先伝票４の平面図である。
【図２】同、インレットコア部１５およびブースターアンテナ部１９の拡大説明図であって、図２（１）は、配送業者伝票３および届け先伝票４が積層した状態（配送業者伝票３および届け先伝票４の図示を省略した）におけるインレットコア部１５およびブースターアンテナ部１９の拡大平面図、図２（２）は、配送業者伝票３および届け先伝票４の積層状態におけるインレットコア部１５およびブースターアンテナ部１９の拡大側面図である。
【図３】同、ＲＦＩＤ伝票１を用いた配送システム２０の概略説明図である。
【図４】本発明の第２の実施例によるＲＦＩＤ伝票３０の平面図である。
【発明を実施するための形態】
【００２４】
本発明は、近接配置状態にあるループアンテナ部付きの配送業者伝票およびブースターアンテナ部付きの届け先伝票に対して第１のリーダーライターによる所定間隔をおいた無線データ通信が可能であり、届け先伝票から分離した配送業者伝票に対しては、第２のリーダーライターによる近接的な無線データ通信を可能としたＲＦＩＤ伝票、これを用いた配送システムおよび配送方法を実現した。
【実施例】
【００２５】
つぎに本発明の第１の実施例によるＲＦＩＤ伝票、これを用いた配送システムおよび配送方法を図１ないし図３にもとづき説明する。
図１は、ＲＦＩＤ伝票１の説明図で、図１（１）は、ＲＦＩＤ伝票１の平面図、図１（２）は、ＲＦＩＤ伝票１の最上層部に位置する送り主伝票２の平面図、図１（３）は、ＲＦＩＤ伝票１の第２層に位置する配送業者伝票３の平面図、図１（４）は、ＲＦＩＤ伝票１の第３層に位置する届け先伝票４の平面図である。
ＲＦＩＤ伝票１は、送り主伝票２、配送業者伝票３および届け先伝票４を一体的に積層するとともに、それぞれを互いに順次分離可能としているが、届け先伝票４の裏面側に粘着剤層５と、粘着剤層５に仮着した剥離紙６と、をさらに積層している。この剥離紙６を届け先伝票４（粘着剤層５）から剥離することにより粘着剤層５を露出し、所定の配送物Ｐ（図３）にＲＦＩＤ伝票１全体を貼り付け可能としている。
【００２６】
送り主伝票２は、配送物Ｐの送り主用控えとしての伝票であって、日付け欄７と、送り主欄８と、届け先欄９と、品名欄１０と、管理番号欄１１およびそのバーコード欄１２と、配送業者受領印欄１３と、を設けている。
【００２７】
配送業者伝票３は、配送物Ｐを配送する配送業者用控えとしての伝票であって、送り主伝票２と同じく、日付け欄７、送り主欄８、届け先欄９、品名欄１０、管理番号欄１１およびそのバーコード欄１２と、届け先受領印欄１４と、を設けている。
さらに配送業者伝票３には、インレットコア部１５を取り付けている。
インレットコア部１５は、ＩＣチップ１６と、このＩＣチップ１６に接続したループアンテナ部１７を有し、粘着剤その他任意の手段により配送業者伝票３の所定の部位にこれを取り付けている。
なお、とくに図１（３）に示すように、インレットコア部１５としては、ベースフィルム１８上にＩＣチップ１６およびループアンテナ部１７を設けた上で配送業者伝票３にこれを取り付けることもできる。
【００２８】
届け先伝票４は、配送物Ｐの届け先用控えとしての伝票であって、送り主伝票２および配送業者伝票３と同じく、日付け欄７、送り主欄８、届け先欄９、品名欄１０、管理番号欄１１およびそのバーコード欄１２を設けている。
さらに、届け先伝票４には、配送業者伝票３のインレットコア部１５の部位に位置して、すなわちインレットコア部１５に上下層で重なり合うように、ブースターアンテナ部１９を設けている。ただし、ブースターアンテナ部１９のほぼ中央位置にインレットコア部１５が位置している。
【００２９】
ＩＣチップ１６には、配送物Ｐに関するＲＦＩＤ伝票１の管理番号、送り主や届け先その他の管理データを記憶可能である。
なお、インレットコア部１５およびブースターアンテナ部１９の表面を保護フィルムその他の保護材（図示せず）により保護することができる。
【００３０】
図２は、インレットコア部１５およびブースターアンテナ部１９の拡大説明図であって、図２（１）は、配送業者伝票３および届け先伝票４が積層した状態（配送業者伝票３および届け先伝票４の図示を省略した）におけるインレットコア部１５およびブースターアンテナ部１９の拡大平面図、図２（２）は、配送業者伝票３および届け先伝票４の積層状態におけるインレットコア部１５およびブースターアンテナ部１９の拡大側面図である。
図示のように、ループアンテナ部１７およびＩＣチップ１６からなるインレットコア部１５を配送業者伝票３に取り付け、ループアンテナ部１７に電磁結合可能なブースターアンテナ部１９を届け先伝票４に取り付け、このブースターアンテナ部１９とループアンテナ部１７とが互いに近接して積層するように届け先伝票４および配送業者伝票３を配置している。さらに、届け先において配送業者伝票３を届け先伝票４から分離することによりインレットコア部１５をブースターアンテナ部１９から離間可能としている。
【００３１】
ループアンテナ部１７は、図示の例では、これを矩形状の金属箔、金属膜や導電性インクから構成する共振アンテナであって、これにＩＣチップ１６を直接接続している。なお、導電性インクからループアンテナ部１７を形成する場合には、上記したベースフィルム１８（図１（３））を用いることなく、配送業者伝票３にこれを直接印刷形成することができる。
ブースターアンテナ部１９は、金属箔、金属膜や導電性インクから所定のアンテナパターンにこれを形成し、このループアンテナ部１７に電磁結合（より詳細には図示の例では、磁界結合）可能であるとともにＩＣチップ１６から離反した位置にこれを設けている。
電磁結合の形態としては、ＩＣチップ１６、ループアンテナ部１７およびブースターアンテナ部１９の設計により、任意の電磁界結合方式（磁界結合、電界結合）を採用することができる。
とくにブースターアンテナ部１９は、ループアンテナ部１７から間隔Ｇだけ離れた部位に配置可能である。
この間隔Ｇとしては、ループアンテナ部１７およびブースターアンテナ部１９が互いに電磁結合可能な範囲ないし距離であり、図１（１）および図２に示すように、インレットコア部１５（ループアンテナ部１７）およびブースターアンテナ部１９は、ＲＦＩＤ伝票１において他の印字欄などに支障とならない領域にこれを位置させている。
【００３２】
ＲＦＩＤ伝票１は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）の周波数帯の電波および電磁的作用などにより、ループアンテナ部１７およびブースターアンテナ部１９を介してＩＣチップ１６に必要なデータの無線による読み取りおよび書き込み（データ通信）を行う。
ただし、それぞれの使用電波に応じてＩＣチップ１６およびループアンテナ部１７およびブースターアンテナ部１９の具体的構成を適正なものとしている。
ＵＨＦ帯（たとえば、８６０〜９６０ＭＨｚ）の波長を有する電波を使用するものでは、その通信距離が通常は５〜１０ｍ程度である。
【００３３】
図３は、本発明におけるＲＦＩＤ伝票１を用いた配送システム２０の概略説明図であって、配送システム２０においては、送り主から配送物Ｐを受け取る集配地２１から、配送センター２２を経て、配送地２３までを一貫してＲＦＩＤ伝票１によるデータ管理が可能である。
すなわち、集配地２１において、配送業者は、送り主から配送物Ｐを受け取り、送り主伝票２における配送業者受領印欄１３に捺印してＲＦＩＤ伝票１から送り主伝票２を分離し、これを送り主に渡した上で、配送物Ｐを配送センター２２に持ち込む。
配送物Ｐを受け取る際に、所定間隔をあけてデータ通信が可能な高出力の携帯式リーダーライター２４（第１のリーダーライター）により、ブースターアンテナ部１９およびループアンテナ部１７を介して、ＩＣチップ１６にデータを書き込み可能、およびＩＣチップ１６からのデータを読み取り可能である。
【００３４】
配送センター２２においては、上記携帯式リーダーライター２４、あるいは低出力の近接式リーダーライター２５（第２のリーダーライター）により、ブースターアンテナ部１９およびループアンテナ部１７を介して、ＩＣチップ１６にデータを書き込み可能、およびＩＣチップ１６からのデータを読み取り可能である。
さらに、配送センター２２における管理コンピューター２６において、上記読み取ったデータ、あるいは書き込むデータを管理処理する。
なお、携帯式リーダーライター２４は、ＲＦＩＤ伝票１（配送業者伝票３、届け先伝票４）から所定間隔をおいて、ブースターアンテナ部１９との間の電磁界結合（電界結合）、さらにブースターアンテナ部１９とループアンテナ部１７との間の電磁界結合（磁気結合）により、ＩＣチップ１６との間でデータ通信が可能である。
近接式リーダーライター２５は、ＲＦＩＤ伝票１（配送業者伝票３）と近接した状態（具体的には、配送業者伝票３を近接式リーダーライター２５の読取り部に押し当てた状態）で、ループアンテナ部１７との間の電磁界結合（磁気結合）により、ＩＣチップ１６との間でデータ通信が可能である。
【００３５】
配送地２３において、配送物Ｐを届けるとともに、配送業者伝票３の届け先受領印欄１４に受領印を受領するとともに、届け先伝票４（配送物Ｐ）から配送業者伝票３を分離して、たとえば配送センター２２に持ち帰る。
【００３６】
配送業者伝票３を届け先伝票４から分離した状態では、ブースターアンテナ部１９から十分に離れた状態となってしまうため、携帯式リーダーライター２４によるＩＣチップ１６との間のデータの書込みおよび読込みは不可能である。
なお、ブースターアンテナ部１９には何らのデータもなく、ここからデータを読み取ることは事実上不可能である。
一方、配送センター２２においては、近接式リーダーライター２５により、ループアンテナ部１７を介して、ＩＣチップ１６にデータを書き込み可能、およびＩＣチップ１６からのデータを読み取り可能である。
【００３７】
したがって、配送物Ｐを受け取る段階から配送センター２２および配送地２３までは、ブースターアンテナ部１９およびループアンテナ部１７を介した、携帯式リーダーライター２４によるＩＣチップ１６へのデータの書込み、およびＩＣチップ１６からのデータの読取りが可能であるとともに、配送地２３において配送業者伝票３を届け先伝票４から分離したのちには、配送業者伝票３のループアンテナ部１７を介して、近接式リーダーライター２５によってのみＩＣチップ１６へのデータの書込み、およびＩＣチップ１６からのデータの読取りが可能となる。
さらに述べれば、配送物Ｐの配送完了前（集配地２１、配送センター２２から配送地２３まで）と、配送完了後（配送地２３からとくに配送センター２２内）とにおいて、配送業者伝票３および届け先伝票４の組み合わせと、届け先伝票４単独との区別を明確にすることができ、とくに配送センター２２内において、配送完了後は届け先伝票４のみの処理となり、配送完了前ないしは配送物Ｐの配送方向と、配送完了後ないしは届け先伝票４の戻り方向との間における情報混雑を回避し、伝票管理の確実性を確保可能である。
【００３８】
かくして、ＲＦＩＤ伝票１には、より多くのデータを付加しておくことができるとともに、配送センター２２内での一括読取りはもとより、ＩＣチップ１６への必要な情報の新たな書込みも可能であり、情報漏洩を防止し、かつまた、ＩＣチップ１６における電子情報の再生および活用が可能である。
【００３９】
図４は、本発明の第２の実施例によるＲＦＩＤ伝票３０の平面図であって、ＲＦＩＤ伝票３０は、図１において前述した送り主伝票２、配送業者伝票３および届け先伝票４を積層構成ではなく、同一平面内において互いに隣接した状態に配置するとともに、第１のミシン目３１および第２のミシン目３２により、それぞれを切断分離可能に接続している。
なお、届け先伝票４には、前記粘着剤層５および剥離紙６（ともに図示せず）を設けて配送物Ｐに届け先伝票４を貼り付け可能とする。
【００４０】
配送業者伝票３に設ける前記インレットコア部１５（前記ＩＣチップ１６およびループアンテナ部１７）と、届け先伝票４に設ける前記ブースターアンテナ部１９とは、第２のミシン目３２を境に互いに近接するように、かつ前記間隔Ｇ（ループアンテナ部１７とブースターアンテナ部１９との間の間隔、図２（２））が、ループアンテナ部１７およびブースターアンテナ部１９が互いに電磁結合可能な範囲ないし距離にあるように、同一平面内にこれを配置している。
【００４１】
こうした構成のＲＦＩＤ伝票３０においても、既述のＲＦＩＤ伝票１（図１）と同様に、集配地２１、配送センター２２および配送地２３において送り主伝票２、配送業者伝票３および届け先伝票４を処理することができる。
とくに配送センター２２においては、配送業者伝票３および届け先伝票４が互いに近接した位置にあるため、ループアンテナ部１７およびブースターアンテナ部１９が互いに電磁結合可能な状態にあり、携帯式リーダーライター２４（第１のリーダーライター）によるＩＣチップ１６との間のデータ通信が可能であるとともに、配送業者伝票３を届け先伝票４から切り離し分離したのちは、近接式リーダーライター２５（第２のリーダーライター）のみによるデータ通信を行うことができる。
【００４２】
かくして、既述のＲＦＩＤ伝票１（図１）と同様に、ＲＦＩＤ伝票３０にも、より多くのデータを付加しておくことができるとともに、配送センター２２内での一括読取りはもとより、ＩＣチップ１６への必要な情報の新たな書込みも可能であり、情報漏洩を防止し、かつまた、ＩＣチップ１６における電子情報の再生および活用が可能である。
【符号の説明】
【００４３】
１  ＲＦＩＤ伝票（第１の実施例、図１）
２  送り主伝票
３  配送業者伝票
４  届け先伝票
５  粘着剤層
６  剥離紙
７  日付け欄
８  送り主欄
９  届け先欄
１０  品名欄
１１  管理番号欄
１２  バーコード欄
１３  配送業者受領印欄
１４  届け先受領印欄
１５  インレットコア部
１６  ＩＣチップ
１７  ループアンテナ部
１８  ベースフィルム
１９  ブースターアンテナ部
２０  ＲＦＩＤ伝票１を用いた配送システム（実施例、図３）
２１  集配地
２２  配送センター
２３  配送地
２４  携帯式リーダーライター（第１のリーダーライター）
２５  近接式リーダーライター（第２のリーダーライター）
２６  管理コンピューター
３０  ＲＦＩＤ伝票（第２の実施例、図４）
３１  第１のミシン目
３２  第２のミシン目
Ｇ    ループアンテナ部１７とブースターアンテナ部１９との間の間隔（図２（２））
Ｐ    配送物（図３）
【図１】
2014223756.tif 000003
【図２】
2014223756.tif 000004
【図３】
2014223756.tif 000005
【図４】
2014223756.tif 000006